(57)【要約】【課題】「遠鳴り」を可能とし、また湿度温度の影響を受け難く、特別な保存対策をせずともその演奏性能を維持することが可能なウクレレを供する。【解決手段】廃材１を積層して方形体状の廃材ブロック３を形成する工程と、廃材ブロック３をくり抜いて裏面及び側面が一体に形成されかつ所定の曲面形状に形成されたボディ７を作製する工程と、該ボディ７の表面にホール１３を設けたサウンドボード１１を固設する工程と、上記ボディ７に弦２１を張設するネック１５及びヘッド１７を取り付ける工程とからなる。ボディ７をなすラウンドバック部材９の壁面はくり抜かれて形成されるため、比較的厚い状態になるので振動波にとって反響材となる。よってラウンドバック部材９の壁面に音波が当たると該壁面は音波を自由端に殆んど全部反射させ音を反響させる。この反響はボディ７の空間内で繰り返し行なわれ、反射波が重ね合わさった共鳴波となる。【選択図】図７
2010020020.tif 000002
【特許請求の範囲】
【請求項１】
種々の廃材を積層して方形体状の廃材ブロックを形成する工程と、該廃材ブロックをくり抜いて裏面及び側面が一体に形成されかつ所定の曲面形状に形成されたボディを作製する工程と、該ボディの表面にホールを設けたサウンドボードを固設する工程と、上記ボディに弦を張設するネック及びヘッドを取り付ける工程とからなることを特徴とするウクレレの製造方法。
【請求項２】
請求項１記載のウクレレの製造方法において、上記廃材ブロックが水平方向に組み合わされて積層されることを特徴とするウクレレの製造方法。
【請求項３】
請求項１記載のウクレレの製造方法において、上記廃材ブロックが垂直方向に組み合わされて積層されることを特徴とするウクレレの製造方法。
【請求項４】
請求項１記載のウクレレの製造方法において、上記廃材ブロックが水平方向及び垂直方向に組み合わされて積層されることを特徴とするウクレレの製造方法。
【請求項５】
請求項１記載のウクレレの製造方法において、上記廃材ブロックは各廃材の重量、硬さが略均等となるよう組み合わされることを特徴とするウクレレの製造方法。
【請求項６】
ボディと、該ボディに取り付けられ弦が張設されるネック及びヘッドとからなるウクレレにおいて、上記ボディが裏面及び側面を一体に形成されかつ所定の曲面形状に形成された単一のラウンドバック部材と、該ラウンドバック部材の上面に固設されるホールを設けたサウンドボードとからなり、上記ラウンドバック部材は廃材を積層してなるブロックをくり抜いて形成されることを特徴とするウクレレ。
【発明の詳細な説明】
【技術分野】
【０００１】
本願発明は、ウクレレ及びその製造方法に関する。
【背景技術】
【０００２】
従来のウクレレは、ボディを構成するトップ（表面板）、サイド（側面板）及びバック（裏面板）がいずれも左右２枚づつの薄板からなり、これらを接合してボディを構成していた。これは薄板でないとサイド特有のＳ字状の外曲面形状を形成することができないためである。
【０００３】
このため、従来のウクレレは湿度、温度の影響を受け易く、音色の変化及び音程が狂い易い欠点があった。
【０００４】
本来ハワイの民族楽器であるウクレレが演奏容易で親しみ易い反面、世界共通の楽器の地位を得られないでいるのは、従来の製法による材料的制約、強度的限界、またあいまいな設計による音程の悪い楽器であったからである。この結果、ウクレレというと楽器というより子供用の「音の出る玩具」というイメージを払拭できないでいた。
【０００５】
従来のウクレレによる音響の原理は次の通りである。弦を振動させると発生した音波がトップのホールからボディ内の空間に進入し、ボディを構成する薄板即ちトップ、サイド及びバックを振動せしめる。
【０００６】
このサイド及びバックの振動はボディの端部で反射し、この反射波はトップに伝播されていた振動とともにトップから外部へと流出し、我々の耳に音響となって感知される。
【０００７】
このように従来のウクレレは、ボディを構成する薄板全体が振動して鳴っており、反響による共鳴音でないため、ポコポコといった感じの音しか出ず、「側鳴り」（ソバナリ）と呼ばれ、遠くまで音が飛ばない欠点があった。
【０００８】
また上述のようにボディの構成部材がいずれも薄板からなるため、湿度、温度の影響を受け易く、音色の変化及び音程が狂い易い欠点があった。
【特許文献１】特開２００７−４７６８８号公報
【特許文献２】特開２００３−４４０３８号公報
【発明の開示】
【発明が解決しようとする課題】
【０００９】
本願発明は上記欠点を解消し、音が遠くまで飛ぶ「遠鳴り」（トオナリ）を可能とし、マイクへの乗りが良い、演奏性能の高いウクレレを供することを目的とする。
【００１０】
また、湿度、温度の影響を受け難く、特別な保存対策をせずともその演奏性能を維持することが可能なウクレレを供することを目的とする。
【課題を解決するための手段】
【００１１】
上記目的達成のため、本願発明によるウクレレの製造方法は、種々の廃材を積層して方形体状の廃材ブロックを形成する工程と、該廃材ブロックをくり抜いて裏面及び側面が一体に形成されかつ所定の曲面形状に形成されたボディを作製する工程と、該ボディの表面にホールを設けたサウンドボードを固設する工程と、上記ボディに弦を張設するネック及びヘッドを取り付ける工程とからなることを特徴とする。
また、請求項１記載のウクレレの製造方法において、上記廃材ブロックが水平方向に組み合わされて積層されることを特徴とする。
また、請求項１記載のウクレレの製造方法において、上記廃材ブロックが垂直方向に組み合わされて積層されることを特徴とする。
また、請求項１記載のウクレレの製造方法において、上記廃材ブロックが水平方向及び垂直方向に組み合わされて積層されることを特徴とする。
また、請求項１記載のウクレレの製造方法において、上記廃材ブロックは各廃材の重量、硬さが略均等となるよう組み合わされることを特徴とする。
また本願発明によるウクレレは、ボディと、該ボディに取り付けられ弦が張設されるネック及びヘッドとからなるウクレレにおいて、上記ボディが裏面及び側面を一体に形成されかつ所定の曲面形状に形成された単一のラウンドバック部材と、該ラウンドバック部材の上面に固設されるホールを設けたサウンドボードとからなり、上記ラウンドバック部材は廃材を積層してなるブロックをくり抜いて形成されることを特徴とする。
【発明の効果】
【００１２】
本願発明によるウクレレ及びその製造方法は廃材ブロックをくり抜いてボディの裏面及び側面が一体に形成されかつ所定の曲面形状（ラウンドバック）に形成してあるから、発生する音が共鳴音となり、より大きく明快で雑音の少ない、いわゆる遠鳴りのする音が発生する。
【００１３】
本願発明によるウクレレ及びその製造方法によれば、ウクレレのボディが廃材ブロックのくり抜きによるラウンドバックとなっており、より精巧なペグを用いても楽器全体の重さのバランスをとることができるから、演奏に影響を与えずに音の調整を正確に行ない、音程を維持することができる。
【００１４】
本願発明によるウクレレ及びその製造方法によれば、ボディが廃材の積層物からなるため、種々の木片から画一的でない模様を生ずる。よって世界に一つしかない固有のウクレレとすることができ、持主の感性を満足させ、感性工学上のいわゆる感性価値を生ずることができる。
【００１５】
本願発明によるウクレレ及びその製造方法によれば、ボディが単一のラウンドバックと単一のサウンドボードとの２部材からなるため、部品点数を大幅に減少させることができる。廃材は建築資材から大量に生ずるものを利用できるため、各国で生ずる廃材によりラウンドバック部材をつくっておき、精巧性が求められるフレット打ちした指板のみキットとして高度技術を要する国例えば日本でつくることができるから、ウクレレの生産が各国において低価格で大量に行なうことができる。
【００１６】
本願発明によるウクレレ及びその製造方法によれば、ボディが廃材のくり抜きからなり、１枚取りのサウンドボードを載置するという構造のため、楽器内に生じるストレスを排除する。また楽器全体に重量感・堅牢性があるため、湿度や温度の変化による木材の変形が生じ難くなり、これにより音程の狂いを防止することができる。
【発明を実施するための最良の形態】
【００１７】
次に図面に基づき本願発明によるウクレレ及びその製造方法について詳しく説明する。なお、便宜上同一の機能を奏する部分には同一の符号を付してその説明を省略する。
【実施例１】
【００１８】
図１及び図２に示すように、廃材１を積層して直方体状の廃材ブロック３を形成する。廃材１としては、種々の形状及び樹種からなる廃材１ａ乃至１ｅを用いることができるが（総称するときは「廃材１」という）、柱材や床材のような硬い材質の建築材や家具材が望ましい。例えば、日本の楢、樫、桜；インド、フィリピン等東南アジアのエボニー（黒檀）、紫檀、マンゴー、ローズウッド；北米のマホガニー；カナダのメープル；オーストラリアのアカシア等がある。
【００１９】
廃材１の積層方向は主に水平方向とし、部材の積層状況により、適宜、垂直方向に他の廃材１を付加する。隙間なく積層された各廃材１間に開示しないシリコン系木工用ボンドを注入し、直方体状のブロックにして、紐４で緊縛する。緊縛圧は２０ｋｇ程度とする。ブロックの大きさは少なくとも１２×９×３インチ程度とし、それ以上とするのが望ましい。ブロックの組み合わせは廃材１の様々な木目・硬さ・重さが均等となるようにバランスよく組み合わせる。
【００２０】
接着剤が固化し廃材１のブロックが形成されたら紐４による緊縛を解除し、図３に示すようにドリル２等により廃材ブロック３をくり抜き、裏面及び側面５を一体形成する。また裏面及び側面５の外面を所定のＳ字状の外曲面形状に形成する。かくして図４に示すように裏面及び側面５がラウンドバックに形成されたラウンドバック部材９が作製される。ラウンドバックの壁面の厚さは少なくとも３ｍｍとし、角の部分では６乃至７ｍｍになる部分があってもよい。なお、廃材ブロック３のくり抜き成形はコンピュータ制御された専用機（ＣＮＣ）により行なうことも可能である。
【００２１】
次に該ラウンドバック部材９の表面に、ホール１３を設けたサウンドボード１１を固設する。かくして図５に示すようにボディ７が作製される。
【００２２】
次に上記ボディ７にネック１５及びヘッド１７を固着する（図６）。次いで上記ヘッド１７に１対１２回転式のペグ１９を取り付ける。次いで該ペグ１９に弦２１を巻着し、該弦２１をネック１５を介してボディ７に設けたブリッジ２３に掛け渡し、該ブリッジ２３に固着する。２５は該ブリッジ２３に設けたサドルである。上記ネック１５には所定位置にフレット１６が打ち込まれており、表面に指板１８が形成される。図７はこのようにして完成したウクレレを示す。
【００２３】
本願発明によるウクレレは硬い材質からなる廃材ブロック３をくり抜いてボディ７の裏面及び側面５が一体に形成されかつ所定の曲面形状（ラウンドバック）に形成してあるから、発生する音が共鳴音となり、より大きく明快である。
【００２４】
即ち、本願発明による音の発生原理は次の通りである。まず、弦の振動により発生した音波は、サウンドボード１１のホール１３からボディ７内の空間に進入すると、単一部材としてのラウンドバック部材９の壁面に当たる。
【００２５】
ボディ７をなすラウンドバック部材９の壁面はくり抜かれて形成されているため、通常のウクレレの薄板より比較的厚い状態になるので振動波（音波）にとって反響材として機能する障壁となる。よってラウンドバック部材９の壁面に音波が当たると該壁面は該音波を自由端に殆んど全部反射させ音を反響させる。
【００２６】
この反響はボディ７の空間内で繰り返し行なわれ、反射波が重ね合わさった共鳴波としてサウンドボード１１から空気中に輻射される。よって感知される音響は共鳴によるため、遠くまで聞こえる遠鳴りとなるのである。
【００２７】
また発生する音はより大きく明快で雑音の少ないものであり、音のこもりがなく、いわゆるソリッド感があり、ピュアな音色となる。またマイクへの音の乗りが良好となる。これも本願発明によるウクレレが硬い材質からなる廃材ブロック３をくり抜いてボディ７をラウンドバックに形成してあるからである。
【００２８】
即ち、ボディ７の構成材は硬さが大であり、くり抜き法により製作されるため厚さが通常のウクレレより比較的厚い状態になるので、異なる種類の木材であってもこのような硬さと厚さの条件を満たしていれば、ボディ７自体の性能を犠牲にすることなく、より大きく明快な共鳴音とすることができる。よって良好な音色、音量の発生を可能とするのである。なお、カーボン繊維強化プラスチック（ＦＲＰ）によりボディを製作すると、上記のような音の発生効果は奏し得ない。
【００２９】
次に、ボディ７は廃材ブロック３をくり抜いて形成してあるから、従来の薄板からなるウクレレより比較的重くなる。このため、ヘッドに付設されるチューニングのためのペグ１９は、従来のウクレレに使われる１対１回転式のペグより精巧な１対１２回転式のペグまたはギア付きのより精巧なペグを用いることができ、音の調整を正確に行ない、音程を維持することができる。
【００３０】
その理由は、１２回転式のペグはギア付きのペグであり精巧ではあるが重いので、従来のウクレレに用いると軽いボディとの重さのバランスを失し演奏し難くなる。一方、本願発明のボディはブロック状の廃材ブロック３をくり抜いて形成するためそれ自体比較的重いので、ヘッド１７に重いペグ１９を付設しても楽器全体の重さのバランスが均衡するため演奏に影響を与えないからである
【００３１】
またボディ７が廃材の積層物からなるため、種々の木片から画一的でない模様を生ずる。よって世界に一つしかない固有のウクレレとすることができ、持主の感性を満足させ、感性工学上のいわゆる感性価値を生ずることができる。
【００３２】
またボディ７が単一のラウンドバック部材９と単一のサウンドボード１１との２部材からなるため、部品点数を大幅に減少させることができる。
【００３３】
ラウンドバックとなったボディ７は廃材利用であり廃材は建築資材から大量に生ずるものを利用できるため、各国で生ずる廃材によりラウンドバック部材９をつくっておき、精巧性が求められるフレット打ちした指板１８のみキットとして高度技術を要する国例えば日本でつくることができるから、ウクレレの生産が各国において低価格で大量に行なうことができる。この場合廃材発生国に特有の廃材を用いることにより感性価値を一層高めることができる。
【００３４】
ボディ７が廃材ブロック３のくり抜きからなり、板材を従来のように曲げたり引張たりしておらず、１枚取りのサウンドボード１１を削り出されたボディ７の上に載置するという構造のため、楽器内に生じるストレスを実質上排除する。また楽器全体に重量感・堅牢性があるため、湿度や温度の変化による木材の変形が生じ難くなる。よってこれらにより音程の狂いを防止することができる。
【００３５】
また、ボデイ７の重量がある為、アルミ角材をネック１５に埋め込むことが可能になり、弦２１の張力による反りがネック１５の指板１８に生ずるのを防止する。
【００３６】
本願発明は上記した実施の形態に限定されない。例えば廃材は上記実施の形態に例示した種類の木材以外であっても硬質のものであれば適用可能である。
【００３７】
廃材ブロック３の形状は直方体状だけでなく、立方体状とすることができる。
【００３８】
廃材ブロック３を構成する廃材１の積層方向は適宜に変更可能であり、例えば水平方向のみであってもよく、あるいは垂直方向に積層してもよい。
【００３９】
廃材ブロック３形成のため廃材１を接着する接着剤は、廃材１を確実に接着するものであればよく、例えばエポキシ系木工用ボンドであってもよい。
【００４０】
廃材ブロック３の形成のために廃材１に加えられる圧力も適宜に変更可能である。
【産業上の利用可能性】
【００４１】
本願発明はウクレレ及びその製造に活用することができる。
【図面の簡単な説明】
【００４２】
【図１】本願発明によるウクレレの製造工程を示す図である。
【図２】本願発明によるウクレレの製造工程を示す図である。
【図３】本願発明によるウクレレの製造工程を示す図である。
【図４】本願発明によるウクレレの製造工程を示す図である。
【図５】本願発明によるウクレレの製造工程を示す図であり、（Ａ）はその斜視図、（Ｂ）はその側面図である。
【図６】本願発明によるウクレレの製造工程を示す図である。
【図７】（Ａ）は本願発明によるウクレレの製造工程を示すとともに、ウクレレの完成状態を示す斜視図、（Ｂ）は（Ａ）のＢ部拡大図、（Ｃ）は（Ａ）の側面図である。
【符号の説明】
【００４３】
１    廃材
３    廃材ブロック
４    紐
５    裏面及び側面
６    ドリル
７    ボディ
９    ラウンドバック部材
１１  サウンドボード
１３  ホール
１５  ネック
１６  フレット
１７  ヘッド
１８  指板
１９  ペグ
２１  弦
２３  ブリッジ
２５  サドル
【図１】
2010020020.tif 000003
【図２】
2010020020.tif 000004
【図３】
2010020020.tif 000005
【図４】
2010020020.tif 000006
【図５】
2010020020.tif 000007
【図６】
2010020020.tif 000008
【図７】
2010020020.tif 000009